(57)【要約】【課題】折りたたんだ状態で電子機器を片手で操作する際、片手でしっかりと電子機器を把持して操作することができる。【解決手段】画像表示部（１０）が内側となるように折りたたみ可能な電子機器（１００）であって、第１の筐体（１０１）および第２の筐体（１０２）は、長方形状であり、かつ、互いに長辺方向が同じ方向となるように並べて配置され、電子機器（１００）を折りたたんだ状態において、画像表示部（１０）は外部から視認されない状態となり、電子機器（１００）の外面には他の画像表示部が設けられていない。【選択図】図１
2020123900.tif 000002
【特許請求の範囲】
【請求項１】
第１の筐体と、第２の筐体と、前記第１の筐体および前記第２の筐体にわたって設けられ折りたたみ可能な画像表示部と、を備え、前記画像表示部が内側となるように折りたたみ可能な電子機器であって、
前記第１の筐体および前記第２の筐体は、長方形状であり、かつ、互いに長辺方向が同じ方向となるように並べて配置され、
前記電子機器を折りたたんだ状態において、前記画像表示部は外部から視認されない状態となり、前記電子機器の外面には他の画像表示部が設けられていないことを特徴とする電子機器。
【請求項２】
前記第１の筐体および前記第２の筐体は、互いに長辺同士が隣接するように並べて配置されていることを特徴とする請求項１に記載の電子機器。
【請求項３】
前記画像表示部は、前記第１の筐体と前記第２の筐体との間に、前記電子機器が折りたたまれた状態において、前記第１の筐体および前記第２の筐体の回動方向に沿って円弧状に屈曲する屈曲部を有することを特徴とする請求項１または２に記載の電子機器。
【請求項４】
前記第１の筐体および前記第２の筐体のうち、いずれか一方の内部には前記電子機器の電池が収納され、他方の内部には前記電子機器の基板が収納されていることを特徴とする請求項１から３のいずれか１項に記載の電子機器。
【請求項５】
前記電子機器が折りたたまれた状態において、前記第１の筐体の外面、および前記第２の筐体の外面、のいずれか少なくとも一方に音声出力装置が配されていることを特徴とする請求項１から４のいずれか１項に記載の電子機器。
【請求項６】
前記第１の筐体および前記第２の筐体のうち、いずれか一方の筐体の側部に前記電子機器の情報を表示する側部表示部を備えていることを特徴とする請求項１から５のいずれか１項に記載の電子機器。
【請求項７】
第１のカメラと、第２のカメラを備え、
前記第１のカメラは前記第１の筐体の外面に配され、前記第２のカメラは前記第２の筐体の外面に配されていることを特徴とする請求項１から６のいずれか１項に記載の電子機器。
【請求項８】
前記第１の筐体と前記第２の筐体との間に、前記電子機器の開閉を可能にするヒンジ機構を備え、
前記電子機器が折りたたまれた状態において、前記第１の筐体、前記第２の筐体、および前記ヒンジ機構により前記屈曲部が収納される空間が形成され、
前記電子機器が開いた状態において、前記ヒンジ機構は、前記画像表示部を平坦な状態に保持することを特徴とする請求項３に記載の電子機器。
【発明の詳細な説明】
【技術分野】
【０００１】
本発明は折りたたみ可能な電子機器に関する。
【背景技術】
【０００２】
近年、折りたたみ可能なディスプレイを備え、ディスプレイごと折りたたむことができる電子機器が知られている。特許文献１には、画面表示部を有し、かつ可とう性を有する１枚の表示シートを備える携帯型通信端末が開示されている。上記表示シートは、ユーザから見て上下方向の少なくとも１つの線を境にして左右に折りたたむことができ、さらに、ユーザから見て左右方向の線を境として上下に折りたたむことができる。特許文献１に記載されている発明は、表示シートを左右および上下に折りたたむことで、携帯型通信端末をより小型化することができる。
【先行技術文献】
【特許文献】
【０００３】
【特許文献１】特開２００６−４２４００号公報（２００６年２月９日公開）
【発明の概要】
【発明が解決しようとする課題】
【０００４】
しかしながら、上述のような従来技術は、折りたたんだ状態の携帯型通信端末の外面に画面表示部が設けられており、折りたたんだ状態では、片手でしっかり携帯型通信端末を把持して操作することができないという問題がある。
【０００５】
本発明の一態様は、折りたたんだ状態で電子機器を操作する際、通話など片手での操作を必要とする場合であっても、片手でしっかりと電子機器を把持して操作することができる電子機器を実現することを目的とする。
【課題を解決するための手段】
【０００６】
上記の課題を解決するために、本発明の一態様に係る電子機器は、第１の筐体と、第２の筐体と、前記第１の筐体および前記第２の筐体にわたって設けられ折りたたみ可能な画像表示部と、を備え、前記画像表示部が内側となるように折りたたみ可能な電子機器であって、前記第１の筐体および前記第２の筐体は、長方形状であり、かつ、互いに長辺方向が同じ方向となるように並べて配置され、前記電子機器を折りたたんだ状態において、前記画像表示部は外部から視認されない状態となり、前記電子機器の外面には他の画像表示部が設けられていないことを特徴とする。
【発明の効果】
【０００７】
本発明の一態様によれば、折りたたんだ状態で電子機器を操作する際、通話など片手での操作を必要とする場合であっても、片手でしっかりと電子機器を把持して操作することができる電子機器を実現する。
【図面の簡単な説明】
【０００８】
【図１】本発明の実施形態１に係る電子機器の概略構成の一例を模式的に示す外観図である。（ａ）は上記電子機器の開状態の表示面側を示す平面図である。（ｂ）は上記電子機器の開状態の外面側を示す平面図である。（ｃ）は上記電子機器の閉状態においてユーザが電子機器を把持している状態を示す正面図である。
【図２】上記電子機器の概略構成の一例を模式的に示す、図１の（ａ）のＡ−Ａ矢視断面図である。（ａ）は上記電子機器の閉状態を示す。（ｂ）は上記電子機器の閉状態から開状態への移行状態を示す。（ｃ）は上記電子機器の開状態を示す。
【図３】上記電子機器の概略構成の一例を模式的に示す、上記電子機器を上方（図１の（ａ）のＢ方向）から見た外観図である。（ａ）は上記電子機器の閉状態を示す。（ｂ）は上記電子機器の開状態を示す。
【図４】図１の（ｂ）における上記電子機器の内部の一例を示す模式図である。
【発明を実施するための形態】
【０００９】
以下、本発明の実施形態について詳細に説明する。なお、説明の便宜上、各実施形態に示した部材と同一の機能を有する部材については、同一の符号を付記し、適宜その説明を省略する。また、以下の説明においては、図１の（ａ）において画像表示部１０に対してサブカメラ３０が配置されている方向を上方として上下左右の方向を示すものとする。なお、以下に示す上下左右の方向は説明の便宜上のものであり、本発明の実施に対しこれらの方向に限定されることはない。
【００１０】
（電子機器の構成）
図１は、本発明の実施形態１に係る電子機器１００の概略構成の一例を模式的に示す外観図である。図１の（ａ）は電子機器１００の開状態の表示面１００ａ側を示す平面図である。図１の（ｂ）は電子機器１００の開状態の外面１００ｂ側を示す平面図である。図１の（ｃ）は電子機器１００の閉状態を示す正面図である。電子機器１００の閉状態とは、後述する画像表示部１０が内側となるように電子機器１００が折りたたまれた状態を示す。また、電子機器１００の開状態とは、電子機器１００が開かれ、後述する画像表示部１０が平坦となる状態を示す。電子機器１００は、例えばスマートフォンにより実現される。なお、電子機器１００はスマートフォンに限らず、例えば、タブレット端末等、折りたたみ可能な画像表示部１０を有する各種電子機器に適用することができる。
【００１１】
電子機器１００は、図１の（ａ）に示すように、画像表示部１０、第１の筐体１０１、第２の筐体１０２、およびヒンジ機構１１０を備えている。
【００１２】
第１の筐体１０１および第２の筐体１０２は、画像表示部１０、および後述するメイン基板１５０等の電子機器１００の内部構造を保護するものである。第１の筐体１０１および第２の筐体１０２は、長方形状であり、かつ、互いに長辺方向（長辺が延伸する方向）が同じ方向となるように並べて配置されている。具体的には、第１の筐体１０１および第２の筐体１０２は、箱型であり、画像表示部１０側から見た正面視において、略長方形となる。第１の筐体１０１および第２の筐体１０２は、上記長方形の長辺同士が隣り合うように（隣接するように）並べて配置されている。第１の筐体１０１と第２の筐体１０２とは、ほぼ同じ大きさであり閉状態では重なり合う。そのため、閉状態において、後述する画像表示部１０は外部から視認されない状態となる。なお、第１の筐体１０１および第２の筐体１０２は、互いに短辺同士が隣接するように並べて配置されていてもよい。
【００１３】
（ヒンジ機構の構成）
ヒンジ機構１１０について、図１から図３に基づき説明する。図２は電子機器１００の概略構成の一例を模式的に示す図１の（ａ）のＡ−Ａ矢視断面図である。図２の（ａ）は電子機器１００の閉状態を示す。図２の（ｂ）は電子機器１００の閉状態から開状態への移行状態を示す。図２の（ｃ）は電子機器１００の開状態を示す図である。図３は電子機器１００の概略構成の一例を模式的に示す、電子機器１００を上方（図１の（ａ）のＢ方向）から見た外観図であり、図３の（ａ）は電子機器１００の閉状態を示し、図３の（ｂ）は電子機器１００の開状態を示す。
【００１４】
ヒンジ機構１１０は、第１の筐体１０１と第２の筐体１０２との間に、電子機器１００の開閉を可能にする。電子機器１００の閉状態において、第１の筐体１０１、第２の筐体１０２、およびヒンジ機構１１０により屈曲部１０ｃが収納される空間１２０が形成される。また、電子機器１００の開状態において、ヒンジ機構１１０は画像表示部１０を平坦な状態に保持する。
【００１５】
ヒンジ機構１１０は、第１の筐体１０１または第２の筐体１０２を回動させる軸となる。ヒンジ機構１１０は、第１の筐体１０１および第２の筐体１０２の間に配置されており、第１の筐体１０１および第２の筐体１０２は、ヒンジ機構１１０に固定されている。第１の筐体１０１は、ヒンジ機構１１０によって、第２の筐体１０２に対して回動可能となる。また、第２の筐体１０２は、ヒンジ機構１１０によって、第１の筐体１０１に対して回動可能となる。言い換えると、ヒンジ機構１１０は、電子機器１００の開状態から閉状態の移行、および、閉状態から開状態への移行を可能にする。
【００１６】
ヒンジ機構１１０は、図２の（ａ）から図２の（ｃ）に示すように、ヒンジユニット１１０ａおよびヒンジユニット１１０ｂを備えている多軸ヒンジである。ヒンジユニット１１０ａは第１の筐体１０１の第２の筐体１０２に隣接する長辺に接続されている。ヒンジユニット１１０ａの回動軸１１１ａは上記長辺に沿って略平行に配置されている。ヒンジユニット１１０ｂは第２の筐体１０２の第１の筐体１０１に隣接する長辺に接続されている。ヒンジユニット１１０ｂの回動軸１１１ｂは上記長辺に沿って略平行に配置されている。
【００１７】
ヒンジ機構１１０は、ヒンジユニット１１０ａが回動軸１１１ａを中心に回転すると、同時にヒンジユニット１１０ｂが回動軸１１１ｂを中心にしてヒンジユニット１１０ａとは反対側に回転するように構成されている。これにより、第２の筐体１０２に対して第１の筐体１０１を回動させる、もしくは、第１の筐体１０１に対して第２の筐体１０２を回動させることができる。
【００１８】
ヒンジユニット１１０ａおよびヒンジユニット１１０ｂは、閉状態において、所定の距離を開けて配置されている。そのため、閉状態において、第１の筐体１０１、第２の筐体１０２、およびヒンジ機構１１０により空間１２０が形成される。これにより、後述する画像表示部１０の屈曲部１０ｃを空間１２０に収納することができる。
【００１９】
また、電子機器１００は、電子機器１００の開状態において、ヒンジ機構１１０は画像表示部１０を平坦な状態に保持する。具体的には、図２の（ｃ）に示すように、画像表示部１０は、開状態において、第１の筐体１０１により矢印Ｃ１の方向に引っ張られ、かつ、第２の筐体１０２により矢印Ｃ２の方向に引っ張られることで平坦になる。この状態において、ヒンジ機構１１０は、画像表示部１０を外面１００ｂ側から支えることで、画像表示部１０を平坦な状態に保持する。
【００２０】
さらに、ヒンジ機構１１０は、閉状態および開状態を保持する機能を有する。ヒンジユニット１１０ａおよびヒンジユニット１１０ｂに第１の筐体１０１または第２の筐体１０２の回動を補助し、回動中に任意の角度で上記回動を止める機能を有するトルクヒンジを採用してもよい。これにより、ヒンジ機構１１０により、電子機器１００の閉状態および開状態を保持することができる。
【００２１】
また、電子機器１００の外面１００ｂには、図３の（ａ）および図３の（ｂ）に示すように、外面カバー１１３が設けられている。上述したように、閉状態ではヒンジユニット１１０ａおよびヒンジユニット１１０ｂの間に隙間Ｓができる。外面カバー１１３は、隙間Ｓ、ヒンジユニット１１０ａ、およびヒンジユニット１１０ｂを覆う。外面カバー１１３は、電子機器１００の上方向の側部１００ｄ（図１の（ｂ））から、外面１００ｂ側を通り、電子機器１００の下方向の側部１００ｅ（図１の（ｂ））に渡って設けられている。
【００２２】
外面カバー１１３は、図３の（ａ）および図３の（ｂ）に示すように、ヒンジ機構１１０に対応する箇所において回動方向Ｄ１に沿って伸縮するように蛇腹状になっている。外面カバー１１３は、閉状態で蛇腹が伸びた状態になるように、第１の筐体１０１および第２の筐体１０２に固定されている。これにより、外面カバー１１３は、開状態および閉状態に合わせて伸縮することができるので、外部から視認できないように、隙間Ｓ、ヒンジユニット１１０ａ、およびヒンジユニット１１０ｂを覆うことができる。
【００２３】
（画像表示部の構成）
画像表示部１０は、画像を含む各種情報を表示する。画像表示部１０は、略長方形でありパネル状である。画像表示部１０は、第１の筐体１０１および第２の筐体１０２にわたって設けられ、折りたたみ可能である。
【００２４】
画像表示部１０は、図２の（ａ）から図２の（ｃ）に示すように、第１筐体固定部１０ａ、第２筐体固定部１０ｂ、および屈曲部１０ｃを備えている。第１筐体固定部１０ａは、後述する第１の筐体１０１の第１表示面１０１ａに接着されている。第２筐体固定部１０ｂは、後述する第２の筐体１０２の第２表示面１０２ａに接着されている。また、画像表示部１０は、第１の筐体１０１および第２の筐体１０２の間においてリフター１１４に支持されている。リフター１１４は、第１表示面１０１ａと第２表示面１０２ａとをつなぐように設けられ、画像表示部１０に沿って変形する。
【００２５】
屈曲部１０ｃは、第１の筐体１０１と第２の筐体１０２との間に位置し、第１の筐体１０１および第２の筐体１０２に接着されておらず、さらにどこにも固定されていない。屈曲部１０ｃは、閉状態において、第１の筐体１０１および第２の筐体１０２の回動方向Ｄ１に沿って円弧状に屈曲する。また、第１筐体固定部１０ａは第１の筐体１０１により矢印Ｃ１の方向に引っ張られ、第２筐体固定部１０ｂは第２の筐体１０２により矢印Ｃ２の方向に引っ張られるため、屈曲部１０ｃは、開状態において平坦となる状態が保たれる。
【００２６】
屈曲部１０ｃにより、電子機器１００の開閉による画像表示部１０の伸縮を吸収することができる。そのため、電子機器１００の開閉が繰り返されたとしても、屈曲部１０ｃにより画像表示部１０が変形しづらく、折れ筋等が生じるおそれが低減される。また、画像表示部１０に負荷をかけることなく、電子機器１００を開閉させることができる。なお、開状態において、屈曲部１０ｃを支えるための構造を空間１２０に設けることで画像表示部１０の強度を上げることができる。
【００２７】
第１の筐体１０１、第２の筐体１０２、ヒンジ機構１１０および画像表示部１０により、電子機器１００は、画像表示部１０の略長方形の短辺と直行する上記短辺の中心線を軸として、画像表示部１０が内側となるように細長くなるように折りたたみ可能である。これにより、電子機器１００に大きな画像表示部１０を採用した場合であっても、折りたたむことで持ち運びしやすく、収納しやすくなる。
【００２８】
また、上述したように、電子機器１００は、折りたたむことで、画像表示部１０が外部から視認されない状態となる。さらに、電子機器１００の外面１００ｂには他の画像表示部が設けられず、電子機器１００の外面１００ｂは、電子機器１００を把持するための把持面として機能する。ここで、他の画像表示部とは、上記把持面としての機能を阻害する大きさの表示部であり、例えば、カラー表示可能な液晶ディスプレイまたは有機ＥＬディスプレイ等の表示部である。したがって、例えば、ＬＥＤ単体のみで形成されるような、小型の表示部は含まれない。上記構成により、閉状態で電子機器１００を操作する際、通話など片手での操作を必要とする場合であっても、片手でしっかりと電子機器１００を把持して操作することができる。また、後述する第１のカメラ３１および第２のカメラ３２の閉状態での操作も行いやすくなる。
【００２９】
（電子機器の表示面側）
電子機器１００は、図１の（ａ）に示すように、表示面１００ａに、サブカメラ３０、音声出力装置４０、および近接センサ５０を備えている。表示面１００ａとは、電子機器１００において画像表示部１０が配置されている側の面を示す。表示面１００ａは、第１の筐体１０１の領域である第１表示面１０１ａ、第２の筐体１０２の領域である第２表示面１０２ａ、およびヒンジ機構１１０の領域である第３表示面１０３ａから形成されている。
【００３０】
サブカメラ３０は、例えば、ユーザ自身の姿を画像表示部１０に写しながら、ユーザ自身を被写体として撮影するためのカメラである。サブカメラ３０は、第１表示面１０１ａの画像表示部１０の上部に配置されている。
【００３１】
音声出力装置４０は、音声信号に基づいて音声を出力する。音声出力装置４０は、例えば、通話などの音声が出力される。音声出力装置４０は、第２表示面１０２ａの画像表示部１０の上部に配置されている。音声出力装置４０は、電子機器１００の開状態において、ユーザの顔に表示面１００ａを近づけた状態で通話を行う際、ユーザの耳元の近傍に位置するように、表示面１００ａに配置されている。
【００３２】
近接センサ５０は、近接物を検知する。近接センサ５０は、第１表示面１０１ａの画像表示部１０の上部、かつ、音声出力装置４０の近傍に配置されている。近接センサ５０は、電子機器１００の閉状態、および開状態を検知する。また、近接センサ５０は、例えば、ユーザの顔が電子機器１００に近接した位置に存在していることを検知する。電子機器１００は、近接センサ５０における近接の検知に基づき、画像表示部１０のＯＮＯＦＦなどの、各種制御を行うことができる。
【００３３】
（電子機器の外面側）
さらに、電子機器１００は、図１の（ｂ）に示すように、外面１００ｂに、第１のカメラ３１、第２のカメラ３２、音声出力装置４１・４２、スピーカ４３、近接センサ５１・５２、音声入力装置６１、およびＵＳＢ（Universal Serial Bus）コネクタ６２を備えている。また、電子機器１００の外面１００ｂには他の画像表示部が設けられていない。外面１００ｂは、第１の筐体１０１の領域である第１外面１０１ｂ、第２の筐体の領域である第２外面１０２ｂ、および、ヒンジ機構１１０の領域である第３外面１０３ｂから形成されている。
【００３４】
第１のカメラ３１、および第２のカメラ３２は、静止画、および動画が撮影可能なカメラである。第１のカメラ３１は第１の筐体１０１の第１外面１０１ｂに配され、第２のカメラ３２は第２の筐体１０２の第２外面１０２ｂに配されている。そのため、電子機器１００の閉状態で、第１のカメラ３１および第２のカメラ３２の撮影方向が異なるので、電子機器１００を折りたたむことで第１のカメラ３１および第２のカメラ３２により異なる方向を撮影することができる。
【００３５】
また、電子機器１００の閉状態において、第１のカメラ３１および第２のカメラ３２は、折りたたまれた電子機器１００の対向する面の、対向する位置に備えられている。また、第１のカメラ３１および第２のカメラ３２は、略１８０度の撮影が可能であることが好ましい。この場合、電子機器１００を閉状態とすることで、第１のカメラ３１および第２のカメラ３２により略３６０度の撮影が可能となる。
【００３６】
音声出力装置４１・４２は、音声信号に基づいて音声を出力する。音声出力装置４１・４２は、例えば、通話などの音声が出力される。音声出力装置４１は、第１外面１０１ｂの上部に配置されている。音声出力装置４１は、電子機器１００の閉状態において、ユーザの顔に第１外面１０１ｂを顔に近づけた状態で通話を行う際、ユーザの耳元の近傍に位置するように、第１外面１０１ｂに配置されている。音声出力装置４２も音声出力装置４１と同様に、第２外面１０２ｂの上部に配置されている。これにより、電子機器１００の閉状態において、第１外面１０１ｂ、および第２外面１０２ｂのどちらをユーザ側にしても、通話を行うことができる。
【００３７】
音声出力装置４１・４２は、いずれか１つであってもよい。電子機器１００が折りたたまれた状態において、第１外面１０１ｂ、および第２外面１０２ｂ、のいずれか少なくとも一方に音声出力装置４１・４２が配されていればよい。また、音声出力装置４１・４２は、互いに各筺体の（外面）の対称にある位置に配置されていてもよい。言い換えると、音声出力装置４１・４２は、互いに折りたたまれた電子機器１００の対向する面の、対向する位置に備えられていてもよい。
【００３８】
スピーカ４３は、音声信号に基づいて音声を出力する。スピーカ４３は、音声出力装置４１・４２より音圧レベルが高い。スピーカ４３は、図１の（ｂ）では、第２外面１０２ｂの下部に配置されているが、上記に限らず、スピーカ４３の設置位置は外面１００ｂであれば特に限定されない。
【００３９】
近接センサ５１・５２は、近接物を検知する。近接センサ５１は、第１外面１０１ｂの上部、かつ、音声出力装置４１の近傍に配置されている。近接センサ５２は、第２外面１０２ｂの上部、かつ、音声出力装置４２近傍に配置されている。これにより、電子機器１００は、閉状態において、１８０度異なる反対側の近接物を同時に検知することができる。
【００４０】
また、近接センサ５１・５２は、ユーザの顔が電子機器１００に近接した位置に存在していることを検知する。電子機器１００は、例えば、通話時の近接センサ５１・５２におけるユーザの顔の近接の検知に基づき、ユーザの顔の近接を検知した側に配置された音声出力装置（音声出力装置４１もしくは音声出力装置４２）を動作させる制御を行うことができる。なお、近接センサ５１・５２は、互いに各筺体の（外面）の対称にある位置に配置されていてもよい。言い換えると、近接センサ５１・５２は、互いに折りたたまれた電子機器１００の対向する面の、対向する位置に備えられていてもよい。
【００４１】
音声入力装置６１は、電子機器１００に到達する音声の入力を受け付ける。具体的には、音声入力装置６１は、ユーザから電話の相手先に対する通話などの音声が入力される。音声入力装置６１は、第２外面１０２ｂの下部に配置されている。これにより、電子機器１００に対して１つの音声入力装置６１で開状態および閉状態において音声入力を行うことができる。また、スピーカ４３および音声入力装置６１により、ハンズフリーで通話を行うことができる。
【００４２】
ＵＳＢコネクタ６２は、ＵＳＢ機器、ＵＳＢケーブル等の外部機器が接続されるレセプタクルである。本実施形態では、ＵＳＢコネクタ６２は第２外面１０２ｂの下部に配置されているが、ＵＳＢコネクタ６２の配置位置は特に限定されない。
【００４３】
（電子機器の側部）
さらに、電子機器１００は、図１の（ｃ）に示すように、第２の筐体１０２の側部１０２ｃに側部表示部７０、音量スイッチ７１、および電源スイッチ７２を備えている。
【００４４】
側部表示部７０は、電子機器１００の情報を表示する。側部表示部７０は、例えば、カメラ等のマークが配置されており、当該マークが点灯することにより、電子機器１００のカメラ機能が起動されていることをユーザに報知する。音量スイッチ７１は、各種音量を調整するためのスイッチである。電源スイッチ７２は、電子機器１００の電源のＯＮＯＦＦを行うためのスイッチである。
【００４５】
側部表示部７０、音量スイッチ７１、および電源スイッチ７２は、第２の筐体１０２の側部１０２ｃに限らず、第１の筐体１０１および第２の筐体１０２のうち、いずれか一方の筐体の側部に配置されていればよい。
【００４６】
（電子機器の内部の構成）
電子機器１００の内部の構成について、図４に基づき説明する。図４は、図１の（ｂ）における電子機器１００の内部を示す模式図である。なお、理解を容易にするために、図４では、電子機器１００の外面１００ｂに設けられている第１のカメラ３１および第２のカメラ３２を破線で示し、電子機器１００の内部に設けられている構成を実線で示している。また、外面１００ｂに設けられているその他の構成の図示は省略している。
【００４７】
電子機器１００において、第１の筐体１０１および第２の筐体１０２のうち、いずれか一方の内部には電子機器１００の電池１５２が収納され、他方の内部には電子機器１００のメイン基板１５０が収納されている。本実施形態では、第１の筐体１０１の内部には電子機器１００のメイン基板１５０（基板）が収納され、第２の筐体１０２の内部には電子機器１００のサブ基板１５１、および電池１５２が収納されている。メイン基板１５０は、電子機器１００の主要な機能を制御する。サブ基板１５１は、メイン基板１５０からの指示を処理する。電池１５２は、電子機器１００の各構成に電力を供給する。なお、上記に限らず、第２の筐体１０２の内部に電子機器１００のメイン基板１５０（基板）が収納され、第１の筐体１０１の内部に電子機器１００のサブ基板１５１、および電池１５２が収納されていてもよい。
【００４８】
メイン基板１５０と電池１５２とが第１の筐体１０１と第２の筐体１０２とに分けて収納されていることにより、電子機器１００が落下した場合、重量が重い電池１５２が収納された第２の筐体１０２が下になって落下する。そのため、メイン基板１５０を落下の衝撃から守ることができる。
【００４９】
（変形例）
図１の（ａ）から図１の（ｃ）に基づき、本実施形態の変形例について説明する。電子機器１００は、音声出力装置４０を表示面１００ａ側に１つ、および音声出力装置４１（もしくは音声出力装置４２）を外面１００ｂ側に１つ備えているものであってもよい。本変形例では、近接センサ５０による電子機器１００の開状態および閉状態の検知により、開状態のときは音声出力装置４０を動作させ、閉状態のときは音声出力装置４１を動作させる。言い換えると、電子機器１００は開状態または閉状態を検知し、当該検知結果に基づき、音声出力装置４０および音声出力装置４１のうち、動作させる音声出力装置を切り替える。
【００５０】
〔まとめ〕
本発明の態様１に係る電子機器（１００）は、第１の筐体（１０１）と、第２の筐体（１０２）と、前記第１の筐体および前記第２の筐体にわたって設けられ折りたたみ可能な画像表示部（１０）と、を備え、前記画像表示部が内側となるように折りたたみ可能な電子機器であって、前記第１の筐体および前記第２の筐体は、長方形状であり、かつ、互いに長辺方向が同じ方向となるように並べて配置され、前記電子機器を折りたたんだ状態において、前記画像表示部は外部から視認されない状態となり、前記電子機器の外面には他の画像表示部が設けられていない。
【００５１】
上記の構成によれば、電子機器を折りたたむことで電子機器の幅が短くなる。また、電子機器を折りたたんだ状態において、画像表示部が外部から視認されない状態となり、他の画像表示部が設けられていないため、電子機器の外面が電子機器を把持するための把持面として機能する。その結果、折りたたんだ状態で電子機器を操作する際、通話など片手での操作を必要とする場合であっても、片手でしっかりと電子機器を把持して操作することができる。
【００５２】
本発明の態様２に係る電子機器（１００）は、上記態様１において、前記第１の筐体（１０１）および前記第２の筐体（１０２）は、互いに長辺同士が隣接するように並べて配置されていてもよい。上記の構成によれば、電子機器を折りたたむことで電子機器を細長くとすることができる。
【００５３】
本発明の態様３に係る電子機器（１００）は、上記態様２において、前記画像表示部（１０）は、前記第１の筐体と前記第２の筐体との間に、前記電子機器が折りたたまれた状態において、前記第１の筐体（１０１）および前記第２の筐体（１０２）の回動方向に沿って円弧状に屈曲する屈曲部を有していてもよい。
【００５４】
上記の構成によれば、屈曲部により画像表示部に折り目を付けないで電子機器を折りたたむことができる。また、屈曲部により、画像表示部に負荷をかけることなく、電子機器が折りたたまれた状態から第１の筐体と第２の筐体とが平坦となる状態に移行することができる。
【００５５】
本発明の態様４に係る電子機器（１００）は、上記態様１から３のいずれかにおいて、前記第１の筐体（１０１）および前記第２の筐体（１０２）のうち、いずれか一方の内部には前記電子機器の電池（１５２）が収納され、他方の内部には前記電子機器の基板（１５０）が収納されていてもよい。
【００５６】
上記の構成によれば、電池と基板とが第１の筐体と第２の筐体とに分けて収納されている。これにより、電子機器が落下した場合、重量が重い電池が収納された筐体が下になって落下する。そのため、基板を落下の衝撃から守ることができる。
【００５７】
本発明の態様５に係る電子機器（１００）は、上記態様１から４のいずれかにおいて、前記電子機器が折りたたまれた状態において、前記第１の筐体（１０１）の外面（第１外面１０１ｂ）、および前記第２の筐体（１０２）の外面（第２外面１０２ｂ）、のいずれか少なくとも一方に音声出力装置（４１・４２）が配されていてもよい。
【００５８】
上記構成によれば、外面に音声出力装置が配されているで、電子機器が折りたたまれた状態であっても通話が可能となる。
【００５９】
本発明の態様６に係る電子機器（１００）は、上記態様１から５のいずれかにおいて、前記第１の筐体（１０１）および前記第２の筐体（１０２）のうち、いずれか一方の筐体の側部に前記電子機器の情報を表示する側部表示部（７０）を備えていてもよい。
【００６０】
上記の構成によれば、電子機器が折りたたまれた状態であっても、側部表示部によりユーザが電子機器の情報を確認することができる。
【００６１】
本発明の態様７に係る電子機器（１００）は、上記態様１から６のいずれかにおいて、第１のカメラ（３１）と、第２のカメラ（３２）を備え、前記第１のカメラは前記第１の筐体（１０１）の外面（第１外面１０１ｂ）に配され、前記第２のカメラは前記第２の筐体（１０２）の外面（第２外面１０２ｂ）に配されていてもよい。
【００６２】
上記構成により、電子機器が折りたたまれた状態で、第１のカメラおよび第２のカメラの撮影方向が異なる。そのため、電子機器を折りたたむことで異なる方向を撮影することができる。
【００６３】
本発明の態様８に係る電子機器（１００）は、上記態様３において、前記第１の筐体（１０１）と前記第２の筐体（１０２）との間に、前記電子機器の開閉を可能にするヒンジ機構（１１０）を備え、前記電子機器が折りたたまれた状態において、前記第１の筐体、前記第２の筐体、および前記ヒンジ機構により前記屈曲部（１０ｃ）が収納される空間（１２０）が形成され、前記電子機器が開いた状態において、前記ヒンジ機構は前記画像表示部（１０）を平坦な状態に保持してもよい。
【００６４】
上記構成により、電子機器が折りたたまれた状態において、画像表示部の屈曲部を電子機器の内側に収めることができ、さらに、電子機器が開いた状態において、画像表示部はヒンジ機構により平坦に保持される。
【００６５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００６６】
１０  画像表示部
１０ｃ  屈曲部
３１  第１のカメラ
３２  第２のカメラ
４０・４１・４２  音声出力装置
４３  スピーカ（音声出力装置）
７０  側部表示部
１００  電子機器
１００ｂ  外面
１０１  第１の筐体
１０１ｂ  第１外面
１０２  第２の筐体
１０２ｂ  第２外面
１０２ｃ  側部
１５０  メイン基板（基板）
１５２  電池
Ｄ１  回動方向
【図１】
2020123900.tif 000003
【図２】
2020123900.tif 000004
【図３】
2020123900.tif 000005
【図４】
2020123900.tif 000006